(57)【要約】【課題】複数本の導電線同士を容易に導通接続させることができるとともに、また、再利用可能に取り外してその導通接続を容易に解消することのできる電線接続構造を実現することにより、例えば、主電線に複数本の電線を適宜導通接続して分岐させる一方、その主電線を切断などすることなく、再利用可能にその分岐接続を解消することのできる電線接続装置を提供すること。【解決手段】引下電線１０７と引込電線１０８の導電線１０７ａ、１０８ａを導通接続する電線接続装置１０であって、ボルトとナットを螺合させて接続部１１の一対の接続端子１２、１３を導電線毎に直接圧接接続させることにより引下電線と引込電線を導通接続させる。【選択図】図１
2009009747.tif 000002
【特許請求の範囲】
【請求項１】
線径が同一または異なる複数本の導電線を電気的に導通接続する電線接続装置であって、
雄ネジ部材と雌ネジ部材を螺合させて相対回転させることにより互いの間隔を接離させる一対の接続端子が導電線毎に準備されており、
該導電線のそれぞれに直接圧接接続する接続端子を介して当該導電線を導通接続させることを特徴とする電線接続装置。
【請求項２】
前記雄ネジ部材の軸心に対して同一または異なる略直交方向に延在するように取り付けられて該雄ネジ部材と雌ネジ部材の螺合回転方向に応じて接離する一対の接続端子を２組以上備えていることを特徴とする請求項１に記載の電線接続装置。
【請求項３】
前記接続端子は、延在方向に対して交差する方向に開口する湾曲形状に形成されて該湾曲形状内に導電線を収装して圧接することを特徴とする請求項１または２に記載の電線接続装置。
【請求項４】
前記接続端子の一部または全部は、延在方向に対して交差する方向に開口する湾曲形状に代えて、あるいは加えて、延在方向に開口する湾曲形状に形成されて、該湾曲形状内に導電線を収装して圧接することを特徴とする請求項３に記載の電線接続装置。
【請求項５】
前記接続端子の複数組の収容空間を絶縁材料よりなるケース部材の端辺同士を接離させることにより開閉するケースを備えており、
ケース部材の端辺には、接続端子が圧接して導通接続する電線に圧接して保持する保持手段が設けられていることを特徴とする請求項１から４のいずれかに記載の電線接続装置。
【請求項６】
前記保持手段として、ケース部材の端辺の一方または双方に、互いに接離する方向に延長されてケース部材の端辺間の空間を概略閉止するヒダ状部材、あるいは、互いに圧接して弾性変形する弾性部材が配設されていることを特徴とする請求項５に記載の電線接続装置。
【発明の詳細な説明】
【技術分野】
【０００１】
本発明は、電線接続装置に関し、詳しくは、複数本の導電線同士を容易に導通接続させ、また、その導通接続を容易に解消するとともに再利用することのできるものに関する。
【背景技術】
【０００２】
従来、電線同士を接続する場合には、被覆を剥いだ導電線に圧縮スリーブを被せて圧着結合させることにより電気的に導通接続することが行われており、例えば、既設の電線に別個の電線を導通接続して分岐させる場合には、既設電線の分岐箇所の被覆を剥ぐと共に分岐電線の先端部の被覆を剥いでその導電線同士を断面Ｏ形状の圧縮スリーブ（圧縮端子）内で一緒に圧着結合させることにより導通接続させている（例えば、特許文献１参照）。
【０００３】
また、他の接続構造としては、既設電線と分岐電線の導電線をそれぞれ収装可能に断面８字形状に形成されている圧縮端子も提案されており、この圧縮端子では、既設電線と分岐電線の導電線を断面８字形状のそれぞれ異なる収装穴内に収装させて別個に圧着結合させることにより導通接続させている（例えば、特許文献２参照）。
【０００４】
さらに、主電線に分岐電線を複数本接続して分岐させる場合、例えば、図１１に示すように、電柱１０１の変圧器１０３の低圧側に接続した引下電線１０７に各家庭などに電気を配電する引込電線を分岐接続する場合には、図１２および図１３に示すように、複数の端子Ｔ１〜Ｔ５を内装する分岐ボックス１１０をその電柱１０１の腕金１０５に取り付けて、その端子Ｔ５に引下電線１０７をネジ止めして導通接続すると共に端子Ｔ１〜Ｔ４に引込電線をネジ止めして導通接続させることにより、引下電線１０７に引込電線を分岐接続することができる（例えば、特許文献３参照）。なお、図１１や図１２中における１０６は電柱１０１の腕金１０５に分岐ボックス１１０を取り付ける取付金具であり、また、１１２はその引込分岐ボックス１１０内の端子Ｔ１〜Ｔ５を露出させてネジ止め作業を行う際に開閉するカバーである。
【特許文献１】特開平９−２８４９７１号公報
【特許文献２】特開２０００−８５４１４号公報
【特許文献３】特開２００６−１００００１号公報（図８〜図１０）
【発明の開示】
【発明が解決しようとする課題】
【０００５】
しかしながら、このような従来の電線接続装置にあっては、主電線に複数本の電線を分岐させる場合には、文献３に記載の分岐ボックス１１０を用いればよいが、例えば、電気の配電先の増加に伴って、分岐する引込電線の接続数がその分岐ボックス１１０内に準備されている端子Ｔを超える場合には、主電線の引下電線１０７を別途準備すると共に分岐ボックス１１０自体を増設しなければならない。
【０００６】
また、この分岐ボックス１１０は、全ての種別の電線を端子Ｔに接続可能に準備されておらず、そのような場合には、文献１や文献２に記載の圧縮端子を用いて引下電線１０７に引込電線を導通接続させるしかない。このような圧縮端子は、専用工具が必要であり、作業が煩雑であるとともに、一旦結合させてしまうと外すことができないために、再利用することができず、また、不要になった場合には、引下電線１０７を切断したり、交換しなければならない。
【０００７】
そこで、本発明は、複数本の導電線同士を容易に導通接続させることができるとともに、また、再利用可能に取り外してその導通接続を容易に解消することのできる電線接続構造を実現することにより、例えば、主電線に複数本の電線を適宜導通接続して分岐させる一方、その主電線を切断などすることなく、再利用可能にその分岐接続を解消することのできる電線接続装置を提供することを目的とする。
【課題を解決するための手段】
【０００８】
上記課題を解決する電線接続装置の第１の発明は、線径が同一または異なる複数本の導電線を電気的に導通接続する電線接続装置であって、雄ネジ部材と雌ネジ部材を螺合させて相対回転させることにより互いの間隔を接離させる一対の接続端子が導電線毎に準備されており、該導電線のそれぞれに直接圧接接続する接続端子を介して当該導電線を導通接続させることを特徴とするものである。
【０００９】
この発明では、被覆電線あるいは裸電線の複数本の導電線毎に、一対の接続端子を雄ネジ部材と雌ネジ部材により接近させてその間に挟み込ませることができ、その導電線のそれぞれを圧接接続する接続端子を介して導通接続させることができる。したがって、一対の接続端子の間に導電線を位置させて雄ネジ部材と雌ネジ部材を締め付ける方向に螺合回転させるだけで複数本の導電線を導通接続することができ、反対に、その雄ネジ部材と雌ネジ部材を緩める方向に螺合回転させるだけで一対の接続端子の間から導電線を離脱させて外すことができる。
【００１０】
上記課題を解決する電線接続装置の第２の発明は、上記第１の発明の特定事項に加え、前記雄ネジ部材の軸心に対して同一または異なる略直交方向に延在するように取り付けられて該雄ネジ部材と雌ネジ部材の螺合回転方向に応じて接離する一対の接続端子を２組以上備えていることを特徴とするものである。
【００１１】
この発明では、雄ネジ部材と雌ネジ部材を共通にしてその雄ネジ部材の略直交方向に延在する複数組の接続端子の間にそれぞれ導電線を挟み込ませるとともに、その接続端子の外面同士を圧接させて導通接続させることができる。したがって、共通の雄ネジ部材と雌ネジ部材を螺合回転させるだけで複数本の導電線を別個の接続端子間に挟み込んで導通接続させることができるとともに、その接続端子の姿勢を雄ネジ部材の略直交方向のいずれかに自由に設定して導電線を導通接続することができる。
【００１２】
上記課題を解決する電線接続装置の第３の発明は、上記第１または第２の発明の特定事項に加え、前記接続端子は、延在方向に対して交差する方向に開口する湾曲形状に形成されて該湾曲形状内に導電線を収装して圧接することを特徴とするものである。
【００１３】
この発明では、接続端子に対する交差方向に導電線を延長させてその接続端子に湾曲形状内で圧接させて導通接続させることができる。したがって、接続端子に対する交差方向に導電線を並列させて導通接続させることができる。
【００１４】
上記課題を解決する電線接続装置の第４の発明は、上記第３の発明の特定事項に加え、前記接続端子の一部または全部は、延在方向に対して交差する方向に開口する湾曲形状に代えて、あるいは加えて、延在方向に開口する湾曲形状に形成されて、該湾曲形状内に導電線を収装して圧接することを特徴とするものである。
【００１５】
この発明では、接続端子の一部または全部に対して、その延在方向に導電線を延長させてその接続端子に湾曲形状内で圧接させて導通接続させることができる。したがって、接続端子の延在方向に一部または全部の導電線を並列させて導通接続させることができる。
【００１６】
上記課題を解決する電線接続装置の第５の発明は、上記第１から第４のいずれかの発明の特定事項に加え、前記接続端子の複数組の収容空間を絶縁材料よりなるケース部材の端辺同士を接離させることにより開閉するケースを備えており、ケース部材の端辺には、接続端子が圧接して導通接続する電線に圧接して保持する保持手段が設けられていることを特徴とするものである。
【００１７】
この発明では、複数本の導電線毎に圧接させて導通接続させた１組または２組以上の接続端子をケース内に収容するとともに、そのケース部材の端辺間にその複数本の導電線を圧接させて位置決め保持させることができる。したがって、導電線や接続端子の導通部分をケース内に収容して絶縁性を確保することができるとともに、その接続端子の近傍で導電線が揺動して応力集中により断線等を生じさせてしまうことを未然に防止することができる。
【００１８】
上記課題を解決する電線接続装置の第６の発明は、上記第５の発明の特定事項に加え、前記保持手段として、ケース部材の端辺の一方または双方に、互いに接離する方向に延長されてケース部材の端辺間の空間を概略閉止するヒダ状部材、あるいは、互いに圧接して弾性変形する弾性部材が配設されていることを特徴とするものである。
【００１９】
この発明では、ケース部材を開閉するだけで複数本の導電線をそれぞれヒダ状部材間に進入させて、あるいは、弾性変形する弾性部材間に圧接させて位置決め保持することができる。したがって、接続する導電線の本数を制限することなく、ケース内に導電線を位置決め保持しつつ収容して絶縁性を確保することができる。
【発明の効果】
【００２０】
このように本発明によれば、複数本の導電線毎に接続端子を雄ネジ部材と雌ネジ部材により容易に圧接させて導通接続させることができ、また、その雄ネジ部材と雌ネジ部材による締付を緩めるだけで導電線から接続端子を外すことができる。したがって、複数本の導電線同士の導通接続とその解消を容易に行うことができ、その導電線を切断する必要はなく、また、その接続端子も再利用することができる。また、複数組の接続端子を用いることにより、１本の導電線に２本以上の導電線を分岐接続することもでき、電線分岐装置を構成することができる。
【発明を実施するための最良の形態】
【００２１】
以下、本発明の最良の実施形態を図面に基づいて説明する。図１〜図７は本発明に係る電線接続装置の第１実施形態を示す図である。
【００２２】
図１において、電線接続装置１０は、引下電線１０７や引込電線１０８の導電線１０７ａ、１０８ａに圧接接続する各電線毎の接続部１１と、この接続部１１と共に接続した引下電線１０７や引込電線１０８を収容するケース２１と、を備えており、電気を配電する各家庭などの戸数に応じた数の引込電線１０８を、図１１に示す電柱１０１の変圧器１０３の低圧側に接続する引下電線１０７に接続部１１を介して分岐接続してケース２１内に収容することによりその電柱１０１の腕金１０５に取り付けて支持させることができる。
【００２３】
接続部１１は、図２に示すように、長さの異なる長尺な導電性板材料を加工することにより２種類のサイズの一対の接続端子１２、１３を備えており、この接続端子１２、１３は、図３に示すように、共通の幅Ｗで長さＬ（Ｌ２＞Ｌ３）の異なる概略長方形に形成されて、その一端側に開口する連結穴１２ａ、１３ａにナット（雌ネジ部材）Ｎの螺合するボルト（雄ネジ部材）Ｂを貫通させることにより互いの対向面を接離させることのできる片持ち構造に設計されている。
【００２４】
接続端子１２、１３は、一端側の連結穴１２ａ、１３ａにボルトＢが貫通することによりそのボルトＢの軸心に対して略直交方向に延在する姿勢になるとともに、その連結穴１２ａ、１３ａから離隔するに従って互いの対向面同士を離隔させた後に接近する湾曲形状に形成されており、その延在方向に対する直交方向に延長されている引下電線１０７や引込電線１０８の導電線１０７ａ、１０８ａを、収装して圧接可能に開口する湾曲形状を互いの対向面間に形成する端子形状に形成されている。
【００２５】
これにより、接続部１１は、図４に示すように、共通のボルトＢをワッシャＷに続けて接続端子１２、１３の連結穴１２ａ、１３ａ内に貫通させて、その接続端子１２、１３の互いに異なる方向に延在する姿勢を保持させつつそのボルトＢにナットＮを螺合回転させることにより、接続端子１２、１３の互いの対向面間の間隔を短くして接近させ、その対向面内の湾曲形状の内面１２ｂ、１３ｂ間に外被を剥いだ引下電線１０７や引込電線１０８の導電線１０７ａ、１０８ａのそれぞれを直接圧接させることができる。このとき、同時に、接続端子１２、１３は、連結穴１２ａ、１３ａの開口する一端部側で対面する外面１２ｃ、１３ｃ同士を圧接させることができ、引下電線１０７と引込電線１０８を別個の接続端子１２、１３を介して導通接続することができる。また、この状態では、接続端子１２、１３に対して直交する引下電線１０７と引込電線１０８を並列させた状態にして、その接続端子１２、１３にそれぞれ圧接接続させることができる。
【００２６】
よって、電線接続装置１０は、図５に示すように、引下電線１０７に接続する引込電線１０８の本数に応じて、その外被を剥いで接続部１１により適宜導通接続させることができる。
【００２７】
ここで、この接続部１１は、長さの異なる接続端子１２、１３をそれぞれ一対準備して引下電線１０７と引込電線１０８を導通接続するが、これに限るものではなく、その導電線１０７ａ、１０８ａの線径が大きく異なることなく接続端子１２、１３の一方で圧接接続させることができる場合には、その一方を共通使用するようにしても良く、また、さらに大径あるいは小径の導電線を圧接接続させることができるように、別個の接続端子を準備してもよいことはいうまでもない。
【００２８】
ケース２１は、図６に示すように、例えば、絶縁性を有する樹脂材料を２つ割り可能な概略直方体に成形することにより作製されており、その２つ割りしたケース部材２２の端辺２２ａ同士を突き合わせることにより、１本の引下電線１０７に複数本の引込電線１０８を接続する複数組の接続端子１２、１３（接続部１１）をその引下電線１０７や引込電線１０８と共に収容する空間を形成するように設計されている。
【００２９】
ケース部材２２は、内装する引下電線１０７や複数本の引込電線１０８の並列面の概略延長面で２つ割り可能に形成されており、その長尺な一辺側には、その端辺２２ａ同士を薄肉に連結して開閉可能にするヒンジ部２３が成形されている。
【００３０】
このケース部材２２は、図７に示すように、ヒンジ部２３以外の三辺側には、その端辺２２ａの一方側から他方側に向かって延長されているヒダ状部材２４が並列するように一体成形されており、このヒダ状部材２４の間に引下電線１０７や引込電線１０８を進入させて挟み込ませることにより保持可能に作製されている。ここで、本実施形態では、ケース部材２２の端辺２２ａにヒダ状部材２４を並列させて引下電線１０７や引込電線１０８を位置決め保持する構造を採用するが、これに限るものではなく、例えば、その端辺２２ａに弾性変形するゴム材料（弾性部材）を連設して引下電線１０７や引込電線１０８をその間に挟み込んでその弾性力により位置決め保持させるようにしてもよい。
【００３１】
また、このケース部材２２は、端辺２２ａの一方側から延長されている延長片２５の端部の係合穴２５ａに、その端辺２２ａの他方側に立設されている係合突起２６を引っ掛けることにより、その端辺２２ａ同士を突き合わせて接続端子１２、１３（接続部１１）を引下電線１０７や引込電線１０８と共に内部に収容する状態で閉止することができるようになっている。
【００３２】
したがって、電線接続装置１０は、引下電線１０７に複数本の引込電線１０８を複数の接続部１１により適宜導通接続させた後に、ケース２１を被せてそのケース部材２２の端辺２２ａ同士を付き合わせるように閉じることにより、その引下電線１０７や引込電線１０８をヒダ状部材２４間に進入させて位置決め保持する状態にすることができる。この後に、例えば、その引下電線１０７やケース２１を腕金１０５にバインド線などにより巻き付けて固定することにより、引下電線１０７や引込電線１０８が接続部１１の近傍で揺動して応力集中による断線等を発生させてしまうことなく、電柱１０１の変圧器１０３の低圧側からの引下電線１０７に複数本の引込電線１０８を導通接続させる作業を完了することができる。
【００３３】
そして、その引込電線１０８を増設する必要がある場合には、引込電線１０８の容量が許す限り、同一の引下電線１０７の外被を剥いで接続部１１により引込電線１０８を適宜導通接続することができ、ケース２１内が接続部１１で一杯になった場合には、別のケース２１を準備して同様に取り付けることができる。
【００３４】
一方、引下電線１０７に導通接続した引込電線１０８が不要になった場合には、その接続部１１のボルトＢとナットＮを逆方向に相対回転させて接続端子１２、１３同士を互いに離隔させることにより外して外被を剥いだ箇所に絶縁処理を施すだけで容易に回収作業を完了することができ、その接続部１１も再利用することができる。
【００３５】
このように本実施形態においては、引下電線１０７や引込電線１０８の導電線１０７ａ、１０８ａ毎に接続部１１の接続端子１２、１３をボルトＢとナットＮにより締め付けて圧接させるだけで導通接続させることができ、また、その締め付けを緩めるだけで導電線１０７ａ、１０８ａから接続部１１を外すことができる。したがって、引下電線１０７に複数本の引込電線１０８を容易に導通接続させる電線分岐装置として利用することができ、その導通接続の解消も容易に行うことができるとともに、その導通接続の解消時には電線を切断する必要はなく、また、その接続端子１２、１３も再利用することができる。
【００３６】
ここで、本実施形態においては、２個のナットＮをボルトＢに螺合させるダブルナットにして外れることを制限するようにしているが、これに限るものではなく、例えば、外れ防止のキャップをボルトＢの先端に取り付けるようにしてもよいことは言うまでもない。
【００３７】
次に、図８は本発明に係る電線接続装置の第２実施形態を示す図である。ここで、本実施形態は上述第１実施形態と略同様に構成されているので、同様な構成には同一の符号を付して特徴部分を説明する（以下で説明する他の実施形態においても同様）。
【００３８】
図８において、電線接続装置１０の接続部１１は、接続端子１２の両側に２組の接続端子１３が位置するように、それぞれの連結穴１２ａ、１３ａにボルトＢが貫通されており、接続端子１３は、同一方向に延在して互いの湾曲形状が邪魔にならないように、異なる方向に延在する姿勢、言い換えると、ボルトＢの周方向にずらした姿勢で取り付けられている。なお、本実施形態の接続端子１３は、接続端子１２と正反対の方向に延在させるのではなく、ボルトＢの周方向に回転させた姿勢に取り付けるので、その連結穴１３ａの周囲も円形に切り欠かれている。
【００３９】
これにより、接続部１１は、接続端子１２には引下電線１０７の導電線１０７ａを導通接続させるとともに、２組の接続端子１３には別個の引込電線１０８の導電線１０８ａをそれぞれ導通接続させることができ、引下電線１０７の１箇所に２本の引込電線１０８を分岐接続させることができる。
【００４０】
したがって、電線接続装置１０は、引下電線１０７に接続する引込電線１０８を増設する必要がある場合には、同一の接続部１１に一対の接続端子１３を増設するだけでも引下電線１０７に引込電線１０８を分岐接続することができ、例えば、ケース２１内が接続部１１で見掛け上一杯になった場合でも、別のケース２１を増設することなく、適宜対応することもできる。
【００４１】
このように本実施形態においては、上述第１実施形態による作用効果に加えて、より容易に引下電線１０７に引込電線１０８を分岐接続して増設することができ、例えば、さらに引込電線１０８の増設が発生するまで、一時的な応急処置的に分岐接続するなど柔軟に対応することができる。
【００４２】
次に、図９は本発明に係る電線接続装置の第３実施形態を示す図である。
図９において、電線接続装置１０の接続部１１は、接続端子１２の一方を平板な導電性板材料の接続端子１４に交換するとともに、その接続端子１４の背面側にも１枚の接続端子１３を配設して、それぞれの連結穴１２ａ〜１４ａ（不図示）にボルトＢを貫通させてナットＮにより締め付けることにより組み立てられている。ここで、本実施形態では、接続端子１２、１３の間に平板の接続端子１４を介装する場合を説明するが、これに限るものではなく、接続端子１２、１３同士の間に平板の接続端子１４を介装してもよいことは言うまでもない。
【００４３】
これにより、接続部１１は、上述第１実施形態と同様に、接続端子１２、１４の間には引下電線１０７の導電線１０７ａを導通接続させるとともに、一対の接続端子１３の間には引込電線１０８の導電線１０８ａをそれぞれ導通接続させることができ、本実施形態では、これに加えて、接続端子１４を外側の接続端子１２、１３で共通に利用して、その接続端子１３、１４の間にも別個の引込電線１０８の導電線１０８ａを導通接続させて、引下電線１０７の１箇所から２本の引込電線１０８を分岐させることができる。
【００４４】
したがって、電線接続装置１０は、引下電線１０７に接続する引込電線１０８を増設する必要がある場合には、同一の接続部１１で接続端子１２の一方側を接続端子１４に交換するとともに、接続端子１３を１枚追加するだけで、引下電線１０７に別個の引込電線１０８を分岐接続することができ、例えば、ケース２１内が接続部１１で見掛け上一杯になった場合でも、別のケース２１を増設することなく、適宜対応することもできる。
【００４５】
このように本実施形態においては、上述第１実施形態による作用効果に加えて、より容易に引下電線１０７に分岐接続する引込電線１０８を増設することができ、例えば、さらに引込電線１０８の増設が発生するまで、一時的な応急処置的に分岐接続するなど柔軟に対応することができる。
【００４６】
次に、図１０は本発明に係る電線接続装置の第４実施形態を示す図である。
図１０において、接続端子１５は、上述第１実施形態における接続端子１３に代えて電線接続装置１０の接続部１１に取り付けられており、この接続端子１５は、その接続端子１３と概略同様に、ボルトＢの貫通する連結穴１５ａの形成されている基端部から先端部の間に互いの対向面同士の中央部ほど離隔する湾曲形状部１５ｄが形成されているとともに、その先端部にも同様に、幅方向の両側端部の間に互いの対向面同士の中央部ほど離隔する湾曲形状部１５ｅが形成されている。
【００４７】
さらに、この接続端子１５は、その湾曲形状部１５ｄ、１５ｅの内面１５ｂにリブ形状１５ｆが立設されており、このリブ形状１５ｆは、湾曲形状部１５ｄ、１５ｅの両側に位置する基端部と先端部や両側端部に連続してその開口方向に対して交差するように形成されている。
【００４８】
これにより、接続部１１は、上述第１実施形態と同様に、それぞれ一対の接続端子１２、１５により引下電線１０７と引込電線１０８の導電線１０７ａ、１０８ａをそれぞれ導通接続させることができるのに加えて、本実施形態の接続端子１５では、引込電線１０８の導電線１０８ａを湾曲形状部１５ｄで圧接接続して支持することにより、引下電線１０７に対して引込電線１０８を並列の姿勢にして導通接続するのに代えて、引下電線１０７に対して引込電線１０８を直交して下方に引き下げる姿勢にして導通接続することもできる。このとき、この接続端子１５では、湾曲形状部１５ｄ、１５ｅの内面１５ｂ側でリブ形状１５ｆが食い込んで引込電線１０８の導電線１０８ａに圧接しているので、自重などにより抜けてしまうことなく、導通接続させている状態を維持することができる。なお、このリブ形状１５ｆは、接続端子１５に限ることなく、他の接続端子１２、１３の内面１２ｂ、１３ｂに形成してもよく、また、リブ形状に替えて複数の突起にしてもよいことは言うまでもない。
【００４９】
したがって、電線接続装置１０は、引下電線１０７に接続して増設する引込電線１０８の接続方向などに応じて引下電線１０７に対して引込電線１０８を並列させた姿勢にして導通接続させるか、あるいは、下方に引き下げる姿勢にして導通接続させるか適宜選択することができ、引込電線１０８を無理に屈曲させて引き回すなどすることを回避することができる。
【００５０】
このように本実施形態においては、上述第１実施形態による作用効果に加えて、引下電線１０７に分岐接続して増設する引込電線１０８をその引き回し方向などの事情に応じてその接続方向を適宜選択することができ、作業を容易化するとともに、作業後の美観を向上させることもできる。
【産業上の利用可能性】
【００５１】
これまで本発明の一実施形態について説明したが、本発明は上述の実施形態に限定されず、その技術的思想の範囲内において種々異なる形態にて実施されてよいことは言うまでもない。
【図面の簡単な説明】
【００５２】
【図１】本発明に係る電線接続装置の第１実施形態を示す図であり、その概略全体構成を示す透視立面図である。
【図２】その接続部の構成を示す電線の延長方向から見た立面図である。
【図３】その接続部の一部品を示す図であり、（ａ）と（ｂ）はその一部品の異なる形状を示す平面図である。
【図４】その接続部の電線との接続状態を示すその電線の延長方向から見た立面図である。
【図５】その接続部の電線との接続状態を示すその電線の直交方向から見た立面図である。
【図６】そのケースの構成を示す図であり、（ａ）はその閉じた状態を示す立面図、（ｂ）はその内部を開放した状態を示す立面図である。
【図７】そのケースの要部構成を示す一部拡大底面図である。
【図８】本発明に係る電線接続装置の第２実施形態を示す図であり、その接続部の電線との接続状態を示すその電線の交差方向から見た立面図である。
【図９】本発明に係る電線接続装置の第３実施形態を示す図であり、その接続部の電線との接続状態を示すその電線の延長方向から見た立面図である。
【図１０】本発明に係る電線接続装置の第４実施形態を示す図であり、（ａ）はその接続部の一部品を示す平面図、（ｂ）はその側面図、（ｃ）はその底面図である。
【図１１】本発明の適用箇所を説明する立面図である。
【図１２】従来技術を示す図であり、（ａ）はその正面図、（ｂ）はその一部切欠側面図である。
【図１３】その内装部品を示す図であり、（ａ）はその正面図、（ｂ）はその側面図である。
【符号の説明】
【００５３】
１０……電線接続装置    １１……接続部    １２〜１５……接続端子    １２ａ〜１５ａ……連結穴    １２ｂ、１３ｂ、１５ｂ……内面    １２ｃ、１３ｃ……外面    １５ｆ……リブ形状    １５ｄ、１５ｅ……湾曲形状部    ２１……ケース    ２２……ケース部材    ２２ａ……端辺    ２３……ヒンジ部    ２４……ヒダ状部材    ２５……延長片    ２５ａ……係合穴    ２６……係合突起    １０５……腕金    １０７……引下電線    １０７ａ、１０８ａ……導電線    １０８……引込電線    Ｂ……ボルト    Ｎ……ナット    Ｗ……ワッシャ
【図１】
2009009747.tif 000003
【図２】
2009009747.tif 000004
【図３】
2009009747.tif 000005
【図４】
2009009747.tif 000006
【図５】
2009009747.tif 000007
【図６】
2009009747.tif 000008
【図７】
2009009747.tif 000009
【図８】
2009009747.tif 000010
【図９】
2009009747.tif 000011
【図１０】
2009009747.tif 000012
【図１１】
2009009747.tif 000013
【図１２】
2009009747.tif 000014
【図１３】
2009009747.tif 000015